(57)【要約】【課題】    本考案は、地震等の災害時、避難場所として好適なテーブルを提供すること目的としている。【解決手段】    テーブルＴは、天板１と、この天板１に対向し、設置面Ｓに当接する床板２と、この床板２と天板１とにそれぞれ固定される複数の脚部３とを備えているものである。【選択図】    図２
0003121943.tif 000002
【実用新案登録請求の範囲】
【請求項１】
天板と、
この天板に対向し、設置面に当接する床板と、
この床板と前記天板とにそれぞれ固定される複数の脚部とを備えている
ことを特徴とするテーブル。
【請求項２】
天板の裏面側であって前記脚部の外側に位置し、前記天板又は脚部に取り付けられた枠状部材と、
この枠状部材に手を掛ける枠状手掛け部が設けられていることを特徴とする請求項１記載のテーブル。
【請求項３】
枠状部材は、天板の裏面側から見て、時計回りに、順次、第１の板状部材、第２の板状部材、第３の板状部材、第４の板状部材からなる長方形又は正方形であり、
前記枠状部材の内方に位置し、一方の先端が前記第１の板状部材に、他方の先端が前記第１の板状部材に対向する前記第３の板状部材に、それぞれ当接し、前記天板又は前記枠状部材に取り付けられた横断板状部材と、
この横断板状部材に手を掛ける横断手掛け部が設けられていることを特徴とする請求項１又は請求項２記載のテーブル。
【請求項４】
天板と床板は、平面視、略同形の長方形又は正方形であり、
複数の脚部は４本で、該４本の脚部は、前記天板及び前記床板の角部に位置し、
前記天板と前記床板との間に形成される空間は、少なくとも、一人が避難できるスペースである
ことを特徴とする請求項１〜３記載のテーブル。
【考案の詳細な説明】
【技術分野】
【０００１】
本考案は、テーブルに係り、特に、地震等の災害時、避難場所として好適なテーブルに関する。
【背景技術】
【０００２】
従来、地震等の災害時、避難場所として好適なテーブルとしては、テーブルの下部に形成される空間に避難した場合、テーブルの中央部に垂下した脚部を掴んで、テーブルだけが振動等で移動しないようにしたものがある（例えば特許文献１参照）。
【０００３】
しかしながら、このテーブルでは、テーブルの中央部に垂下した脚部を掴まねばならず、手を離した場合、テーブルだけが振動等で移動してしまうという問題点があった。
【特許文献１】特許登録第２７９７０６５号公報
【考案の開示】
【考案が解決しようとする課題】
【０００４】
本考案は、前記した問題点を除去するようにしたテーブルを提供することを目的とする。
【課題を解決するための手段】
【０００５】
上記目的を達成するために、本考案のテーブルは、天板と、この天板に対向し、設置面に当接する床板と、この床板と前記天板とにそれぞれ固定される複数の脚部とを備えているものである。
【０００６】
また、請求項２記載のテーブルは、請求項１記載のテーブルにおいて、天板の裏面側であって前記脚部の外側に位置し、前記天板又は脚部に取り付けられた枠状部材と、この枠状部材に手を掛ける枠状手掛け部が設けられているものである
【０００７】
また、請求項３記載のテーブルは、請求項１又は請求項２記載のテーブルにおいて、枠状部材は、天板の裏面側から見て、時計回りに、順次、第１の板状部材、第２の板状部材、第３の板状部材、第４の板状部材からなる長方形又は正方形であり、前記枠状部材の内方に位置し、一方の先端が前記第１の板状部材に、他方の先端が前記第１の板状部材に対向する前記第３の板状部材に、それぞれ当接し、前記天板又は前記枠状部材に取り付けられた横断板状部材と、この横断板状部材に手を掛ける横断手掛け部が設けられているものである。
【０００８】
また、請求項４記載のテーブルは、請求項１〜３記載のテーブルにおいて、天板と床板は、平面視、略同形の長方形又は正方形であり、複数の脚部は４本で、該４本の脚部は、前記天板及び前記床板の角部に位置し、 前記天板と前記床板との間に形成される空間は、少なくとも、一人が避難できるスペースである。
【考案の効果】
【０００９】
請求項１記載のテーブルによれば、床板と天板とは複数の脚部により固定されているため、テーブル自体の強度の向上を図ることができ、しかも、地震等の災害時、床板に避難した場合、避難した人の自重によりテーブルだけが振動等で移動することが防止され、床板に避難している人の安全を保つことができる。
【００１０】
また、請求項２記載のテーブルによれば、前述の請求項１記載の考案の効果に加え、天板の裏面側に位置し、脚部又は前記天板に枠状部材が取り付けられているため、テーブル自体の強度の向上を図ることができ、しかも、地震等の災害時、床板に避難した場合、枠状部材に設けられた枠状手掛け部に手を掛けることができるため、振動等で人が床板から離脱するのをより防止することができる。
【００１１】
また、請求項３記載のテーブルによれば、前述の請求項１又は請求項２記載の考案の効果に加え、枠状部材の内方に位置し、一方の先端が第１の板状部材に、他方の先端が前記第１の板状部材に対向する第３の板状部材に、それぞれ当接し、天板又は前記枠状部材に取り付けられた横断板状部材により、枠状部材の強度、引いては、テーブル自体の強度の向上を図ることができ、しかも、地震等の災害時、床板に避難した場合、横断板状部材に設けられた横断手掛け部に手を掛けることができるため、振動等で人が床板から離脱するのを防止することができる。
【考案を実施するための最良の形態】
【００１２】
以下、本考案のテーブルの一実施例（図１乃至図１０）について図面に従って説明する。
Ｔはテーブルで、テーブルＴは、天板１と、この天板１に対向し、設置面Ｓに当接する床板２と、この床板２と天板１とにそれぞれ固定される複数の脚部３とを備えている。
例えば、図８に示すように、ビス３１により、脚部３は床板２に固定される。なお、３２は、高さ調整を行うアジャスターで、本実施例では、４個の脚部３の裏面にそれぞれ
取り付けられ、テーブルＴの高さ調整を行うようになっている。
【００１３】
天板１と床板２は、平面視、略同形の長方形、例えば、縦  約８３０mm、横  約１３５０mm（又は正方形）であり、複数の脚部は、例えば、４本で、該４本の脚部３は、天板１及び床板２の角部に位置し、天板１と床板２との間に形成される空間は、図２に示すように、少なくとも、一人が避難できるスペースとなっている。
【００１４】
従って、上述したテーブルＴによれば、床板２と天板１とは複数の脚部３により固定されているため、テーブルＴ自体の強度の向上を図ることができ、しかも、地震等の災害時、床板２に避難した場合、避難した人の自重によりテーブルＴだけが振動等で移動することが防止され、床板２に避難している人の安全を保つことができる。
【００１５】
また、４は、天板１の裏面側であって脚部３の外側に位置し、天板１と脚部３に取り付けられた枠状部材で、枠状部材４は、図３に示すように、天板１の裏面側から見て、時計回りに、順次、第１の板状部材４１、第２の板状部材４２、第３の板状部材４３、第４の板状部材４４からなる長方形（又は正方形）であり、この枠状部材４に手を掛ける枠状手掛け部４ａが設けられている。
枠状手掛け部４ａは、第１の板状部材４１、第２の板状部材４２、第３の板状部材４３、第４の板状部材４４に全て設けられ、図５に示すように、第１の板状部材４１、第２の板状部材４２、第３の板状部材４３、第４の板状部材４４の表裏を貫く貫通孔となっている。本考案の枠状手掛け部４ａは、貫通孔に限らず、手を掛けることができるものであれば、貫通しない凹所（図示せず）でも良い。
この枠状部材４は、天板１の裏面側に位置し、脚部３又は天板１に取り付けられているため、テーブルＴ自体の強度の向上を図ることができ、しかも、地震等の災害時、床板２に避難した場合、枠状部材４に設けられた枠状手掛け部４ａに手を掛けることができるため、振動等で人が床板２から離脱するのをより防止することができる。
【００１６】
また、５は、枠状部材４の内方に位置し、一方の先端が第１の板状部材４１に、他方の先端が第１の板状部材４１に対向する第３の板状部材３に、それぞれ当接し、天板１又は枠状部材４に、例えば、ビス（図示せず）により取り付けられた横断板状部材で、この横断板状部材５に手を掛ける横断手掛け部５ａが設けられている（図３参照）。
この横断板状部材５は、枠状部材４の内方に位置し、一方の先端が第１の板状部材４１に、他方の先端が第１の板状部材４１に対向する第３の板状部材４３に、それぞれ当接し、天板１又は枠状部材４に取り付けられているため、枠状部材４の強度、引いては、テーブルＴ自体の強度の向上を図ることができ、しかも、地震等の災害時、床板２に避難した場合、横断板状部材５に設けられた横断手掛け部５ａに手を掛けることができるため、振動等で人が床板２から離脱するのを防止することができる。
【００１７】
なお、枠状部材４は、天板１に接着剤（図示せず）、ビス（図示せず）等により、図６に示すように、脚部３にコーナー部材４５、取付部材（例えば、ボルト）４６により強固に取り付けられている。
【００１８】
また、６は一端を枠状部材４に回動自在に支持された回動部材で、この回動部材６の他端は、係止部７（例えば、穴）に係止し、天板１と床板２との強度を強くすると共に、床板２に避難している人が床板２から離脱するのを防止することができる。
【００１９】
なお、上述した実施例においては、横断板状部材５、５’をクロスするように設けたが、本考案にあっては、これに限らず、図１１乃至図１５に示すテーブルＴにおいては、横断板状部材５、５’を平行に設けるようにしても良い。
即ち、枠状部材４は、図１２に示すように、天板１の裏面側から見て、時計回りに、順次、第１の板状部材４１、第２の板状部材４２、第３の板状部材４３、第４の板状部材４４からなる長方形（又は正方形）であり、この枠状部材４に手を掛ける枠状手掛け部４ａが設けられている。５、５’は、枠状部材４の内方に位置し、一方の先端が第１の板状部材４１に、他方の先端が第１の板状部材４１に対向する第３の板状部材４３に、それぞれ当接し、天板１又は枠状部材４に、例えば、ビス（図示せず）により取り付けられた横断板状部材で、この横断板状部材５、５’に手を掛ける横断手掛け部５ａ、５’ａが設けられている（図１２参照）。
また、上述した実施例においては、ビス３１により、脚部３を床板２に固定したが、本考案にあっては、これに限らず、図１５に示すように、Ｌ字状金具８、ボルト９、ビス３１を介して、脚部３を床板２に固定しても良い。図１５に示す３２は、上述した実施例と同様の高さ調整を行うアジャスターである。
【図面の簡単な説明】
【００２０】
【図１】図１は、本考案の一実施例のテーブルを示す概略的斜視図である。
【図２】図２は、図１のテーブルの使用状態を示す概略的正面図である。
【図３】図３は、図２の３−３線に沿って切断して示す概略的断面図である。
【図４】図４は、図３の一部を拡大して示す概略的一部拡大断面図である。
【図５】図５は、図２の５−５線に沿って切断して示す概略的断面図である。
【図６】図６は、図５の一部を拡大して示す概略的一部拡大断面図である。
【図７】図７は、図１のテーブルの床板から見た概略的一部拡大図である。
【図８】図８は、図７の８−８線に沿って切断して示す概略的断面図である。
【図９】図９は、図１の回動部材の作用を説明するための概略的正面図である。
【図１０】図１０は、図９の回動部材の作用を説明するための概略的斜視図である。
【図１１】図１１は、本考案の他の実施例のテーブルを示す概略的正面図である。
【図１２】図１２は、図１１の１２−１２線に沿って切断して示す概略的断面図である。
【図１３】図１３は、図１３のテーブルの概略的側面図である。
【図１４】図１４は、図１３のテーブルの床板から見た概略的一部拡大図である。
【図１５】図１５は、図１４の１５−１５線に沿って切断して示す概略的断面図である。
【符号の説明】
【００２１】
Ｔ        テーブル
Ｓ        設置面
１        天板
２        床板
３        脚部
【図１】
0003121943.tif 000003
【図２】
0003121943.tif 000004
【図３】
0003121943.tif 000005
【図４】
0003121943.tif 000006
【図５】
0003121943.tif 000007
【図６】
0003121943.tif 000008
【図７】
0003121943.tif 000009
【図８】
0003121943.tif 000010
【図９】
0003121943.tif 000011
【図１０】
0003121943.tif 000012
【図１１】
0003121943.tif 000013
【図１２】
0003121943.tif 000014
【図１３】
0003121943.tif 000015
【図１４】
0003121943.tif 000016
【図１５】
0003121943.tif 000017